(57)【特許請求の範囲】
【請求項１】
第１の交換局宛ての第１のサービス関連信号又は第２の交換局宛ての第２のサービス関連信号のいずれかを無線制御装置に送信することによって、所定サービスを利用するように構成されている移動局であって、
前記無線制御装置から受信したアクセス制限信号によって通知された交換局と異なる交換局宛てのサービス関連信号を、前記無線制御装置に送信することによって、前記所定のサービスを利用する制御部を具備することを特徴とする移動局。
【発明の詳細な説明】
【技術分野】
【０００１】
本発明は、移動局が、第１のネットワークオペレーションモードで動作している場合、第１の交換局宛ての第１の位置登録関連信号を無線制御装置に送信することによって、該第１の交換局及び第２の交換局の双方に対する位置登録処理を行う移動通信方法、及び、かかる移動通信方法に用いられる移動局に関する。
【背景技術】
【０００２】
従来、「ドメインコンバインド移動管理手順」を提供する移動通信システムが知られている。図６（ａ）を参照して、かかる移動通信システムについて説明する。
【０００３】
かかる移動通信システムでは、無線制御装置ＲＮＣが、移動局ＵＥのパケット交換サービス用交換局（第１の交換局）ＳＧＳＮ及び回線交換サービス用交換局（第２の交換局）ＭＳＣ/ＶＬＲに対する位置登録処理の方法を示すネットワークオペレーションモードを、基地局ＢＳを介して移動局ＵＥに対して報知する。
【０００４】
移動局ＵＥは、第１のネットワークオペレーションモードで動作している場合、図６（ａ）に示すように、パケット交換サービス用交換局ＳＧＳＮ宛ての第１の位置登録関連信号を、基地局ＢＳを介して無線制御装置ＲＮＣに送信することによって、パケット交換サービス用交換局ＳＧＳＮ及び回線交換サービス用交換局ＭＳＣ/ＶＬＲの双方に対する位置登録処理を行うように構成されている。
【０００５】
具体的には、第１に、無線制御装置ＲＮＣは、基地局ＢＳを介して移動局ＵＥから送信された第１の位置登録関連信号を、パケット交換サービス用交換局ＳＧＳＮに転送する。
【０００６】
第２に、パケット交換サービス用交換局ＳＧＳＮは、無線制御装置ＲＮＣから転送された第１の位置登録関連信号を用いて、移動局ＵＥについての位置登録処理を行うと共に、ＧｓＩＦを介して当該第１の位置登録関連信号を回線交換サービス用交換局ＭＳＣ/ＶＬＲに転送する。第３に、回線交換サービス用交換局ＭＳＣ/ＶＬＲは、パケット交換サービス用交換局ＳＧＳＮから転送された第１の位置登録関連信号を用いて、移動局ＵＥについての位置登録処理を行う。
【０００７】
かかる場合、移動局ＵＥは、パケット交換サービス用交換局ＳＧＳＮ及び回線交換サービス用交換局ＭＳＣ/ＶＬＲ宛ての別々の位置登録関連信号を送信する代わりに、パケット交換サービス用交換局ＳＧＳＮ宛ての第１の位置登録関連信号を送信するだけで、パケット交換サービス用交換局ＳＧＳＮ及び回線交換サービス用交換局ＭＳＣ/ＶＬＲの双方に対する位置登録処理を行うことができるため、無線区間におけるトラフィック抑制に資することができる。
【０００８】
また、上述の移動通信システムでは、移動局ＵＥは、パケット交換サービス用交換局ＳＧＳＮ宛ての第１のサービス関連信号又は回線交換サービス用交換局ＭＳＣ/ＶＬＲ宛ての第２のサービス関連信号のいずれかを無線制御装置ＲＮＣに送信することによって、ショートメッセージサービスや位置検索サービス等の所定のサービスを利用することができるように構成されている。
【非特許文献１】3GPP標準仕様 TS 23.060「General Packet Radio Service (GPRS) Service description; Stage 2」
【非特許文献２】3GPP標準仕様 TS 23.122「Non-Access Stratum functions related to Mobile Station (MS) in idle mode」
【非特許文献３】3GPP標準仕様 TS 24.008「Mobile radio interface Layer 3 specification; Core network protocols; Stage 3」
【非特許文献４】3GPP標準仕様 TS 25.331「Radio Resource Control (RRC) protocol specification」
【発明の開示】
【発明が解決しようとする課題】
【０００９】
しかしながら、従来の「ドメインコンバインド移動管理手順」を提供する移動通信システムでは、パケット交換サービス用交換局ＳＧＳＮにおいて輻輳や障害が発生した場合に、第１のネットワークオペレーションモードで動作している移動局ＵＥが、パケット交換サービス用交換局ＳＧＳＮに対してだけでなく、回線交換サービス用交換局ＭＳＣ/ＶＬＲに対しても位置登録処理を行うことができないという問題点があった。
【００１０】
具体的には、図６（ｂ）に示すように、ステップＳ１において、パケット交換サービス用交換局ＳＧＳＮにおいて輻輳や障害が発生した場合、ステップＳ２において、パケット交換サービス用交換局ＳＧＳＮは、その旨を通知する状態信号を無線制御装置ＲＮＣに送信する。
【００１１】
ステップＳ３において、無線制御装置ＲＮＣは、パケット交換サービス用交換局ＳＧＳＮ（パケット交換サービスドメイン）に対するアクセスを規制するアクセス制限信号を移動局ＵＥに対して送信する。
【００１２】
ステップＳ４において、移動局ＵＥは、受信したアクセス制限信号に応じて、パケット交換サービス用交換局ＳＧＳＮ宛ての位置登録関連信号の送信を停止する。
【００１３】
ここで、移動局ＵＥは、第１のネットワークオペレーションモードで動作している場合、回線交換サービス用交換局ＭＳＣ/ＶＬＲに対する位置登録処理についても、パケット交換サービス用交換局ＳＧＳＮ宛ての第１の位置登録関連信号によって行っているため、本来アクセス可能である回線交換サービス用交換局ＭＳＣ/ＶＬＲ（回線交換サービスドメイン）に対しても位置登録処理を行うことができなくなってしまう。
【００１４】
また、上述の移動通信システムでは、アクセス制御信号を受信した移動局ＵＥが、パケット交換サービス用交換局ＳＧＳＮにおいて輻輳や障害が発生したことを認識することができないため、回線交換サービス用交換局ＭＳＣ/ＶＬＲに対してアクセス可能な場合であっても、回線交換サービス用交換局ＭＳＣ/ＶＬＲ宛ての第２のサービス関連信号を無線制御装置ＲＮＣに送信することができず、祖亭のサービスを利用することができないという問題点があった。
【００１５】
そこで、本発明は、以上の点に鑑みてなされたもので、第１の交換局において輻輳や障害が発生した場合に、第１のネットワークオペレーションモードで動作している移動局ＵＥが、本来アクセス可能である第２の交換局に対して位置登録処理及びサービス関連処理を行うことができる移動通信方法、及び、かかる移動通信方法に用いられる移動局を提供することを目的とする。
【課題を解決するための手段】
【００１６】
本発明の第１の特徴は、第１のネットワークオペレーションモードで動作している場合、第１の交換局宛ての第１の位置登録関連信号を無線制御装置に送信することによって、該第１の交換局及び第２の交換局の双方に対する位置登録処理を行うように構成されている移動局であって、前記第１のネットワークオペレーションモードで動作している場合であっても、前記無線制御装置から前記第１の交換局に対するアクセス制限信号を受信した場合には、前記第２の交換局宛ての第２の位置登録関連信号を前記無線制御装置に送信することによって、前記第１の交換局を介することなく前記第２の交換局に対する位置登録処理を行う制御部を具備することを要旨とする。
【００１７】
本発明の第１の特徴において、前記制御部が、前記第１のネットワークオペレーションモードで動作している場合で、かつ、前記無線制御装置から前記第１の交換局に対するアクセス制限解除信号を受信した場合、前記第１の交換局宛ての第１の位置登録関連信号を無線制御装置に送信することによって、該第１の交換局及び第２の交換局の双方に対する位置登録処理を行うように構成されていてもよい。
【００１８】
本発明の第１の特徴において、前記第１の交換局が、パケット交換サービス用交換局であり、前記第２の交換局が、回線交換サービス用交換局であり、前記第１の位置登録関連信号が、両サービス用位置登録更新信号と両サービス用アタッチ信号と両サービス用デタッチ信号の少なくとも一つを含み、前記第２の位置登録関連信号が、回線交換サービス用位置登録更新信号と回線交換サービス用アタッチ信号と回線交換サービス用デタッチ信号の少なくとも一つを含むように構成されていてもよい。
【００１９】
本発明の第２の特徴は、第１の交換局宛ての第１のサービス関連信号又は第２の交換局宛ての第２のサービス関連信号のいずれかを無線制御装置に送信することによって、所定サービスを利用するように構成されている移動局であって、前記無線制御装置から受信したアクセス制限信号によって通知された交換局と異なる交換局宛てのサービス関連信号を、前記無線制御装置に送信することによって、前記所定のサービスを利用する制御部を具備することを要旨とする。
【００２０】
本発明の第３の特徴は、移動局が、第１のネットワークオペレーションモードで動作している場合、第１の交換局宛ての第１の位置登録関連信号を無線制御装置に送信することによって、該第１の交換局及び第２の交換局の双方に対する位置登録処理を行う移動通信方法であって、前記移動局が、前記無線制御装置からの報知信号に応じて、第１のネットワークオペレーションモードで動作する工程と、前記無線制御装置が、前記第１の交換局において故障が発生したこと、又は、前記第１の交換局の負荷が所定の閾値を超えたことを検知した場合、前記第１の交換局に対するアクセス制限信号を前記移動局に送信する工程と、前記移動局が、前記第１の交換局に対する前記アクセス制限信号に応じて、前記第２の交換局宛ての第２の位置登録関連信号を前記無線制御装置に送信することによって、前記第１の交換局を介することなく前記第２の交換局に対する位置登録処理を行う工程とを有することを要旨とする。
【００２１】
本発明の第２の特徴において、前記無線制御装置が、前記第１の交換局において故障が回復したこと、又は、前記第１の交換局の負荷が所定の閾値以下になったことを検知した場合、前記第１の交換局に対するアクセス制限解除信号を前記移動局に送信する工程と、前記移動局が、前記第１の交換局に対する前記アクセス制限解除信号に応じて、前記第１の交換局宛ての第１の位置登録関連信号を前記無線制御装置に送信することによって、該第１の交換局及び第２の交換局の双方に対する位置登録処理を行う工程とを有してもよい。
【発明の効果】
【００２２】
以上説明したように、本発明によれば、第１の交換局において輻輳や障害が発生した場合に、第１のネットワークオペレーションモードで動作している移動局ＵＥが、本来アクセス可能である第２の交換局に対して位置登録処理及びサービス関連処理を行うことができる移動通信方法、及び、かかる移動通信方法に用いられる移動局を提供することができる。
【発明を実施するための最良の形態】
【００２３】
（本発明の一実施形態に係る移動通信システムの構成）
図１乃至図３を参照して、本発明の一実施形態に係る移動通信システムについて説明する。本実施形態に係る移動通信システムの全体構成は、図６に示す従来の移動通信システムの全体構成と同一である。以下、本実施形態に係る移動通信システムの構成について、従来の移動通信システムの構成との相違点を主として説明する。
【００２４】
本実施形態に係る移動局ＵＥは、第１のネットワークオペレーションモードで動作している場合、パケット交換サービス用交換局ＳＧＳＮ（第１の交換局）宛ての第１の位置登録関連信号を無線制御装置ＲＮＣに送信することによって、パケット交換サービス用交換局（ノード）ＳＧＳＮ及び回線交換サービス用交換局（ノード）ＭＳＣ/ＶＬＲの双方に対する位置登録処理を行うように構成されている。
【００２５】
なお、移動局ＵＥは、第２のネットワークオペレーションモードで動作している場合は、回線交換サービス用交換局ＭＳＣ/ＶＬＲ宛ての第２の位置登録関連信号及びパケット交換サービス用交換局ＳＧＳＮ宛ての第３の位置登録関連信号を、基地局ＢＳを介して無線制御装置ＲＮＣに別々に送信することによって、パケット交換サービス用交換局ＳＧＳＮ及び回線交換サービス用交換局ＭＳＣ/ＶＬＲの双方に対する位置登録処理を行うように構成されている。
【００２６】
ここで、第１の位置登録関連信号には、回線交換サービス及びパケット交換サービス用位置登録更新信号（Ｃｏｍｂｉｎｅｄ  Ｒｏｕｔｉｎｇ  Ｕｐｄａｔｅ）や、回線交換サービス及びパケット交換サービス用アタッチ信号（Ｃｏｍｂｉｎｅｄ  ａｔｔａｃｈ）や、回線交換サービス及びパケット交換サービス用デタッチ信号（Ｃｏｍｂｉｎｅｄ  ｄｅｔａｃｈ）等が含まれる。
【００２７】
また、第２の位置登録関連信号には、回線交換サービス用位置登録更新信号（Ｎｏｒｍａｌ  Ｌｏｃａｔｉｏｎ  Ｕｐｄａｔｅ）や、回線交換サービス用アタッチ信号（ＩＭＳＩ  ａｔｔａｃｈ）や、回線交換サービス用デタッチ信号（ＩＭＳＩ  ｄｅｔａｃｈ）等が含まれる。
【００２８】
また、第３の位置登録関連信号には、パケット交換サービス用位置登録更新信号（Ｎｏｒｍａｌ  Ｒｏｕｔｉｎｇ  Ａｒｅａ  Ｕｐｄａｔｅ）や、パケット交換サービス用アタッチ信号（ＧＰＲＳ  ａｔｔａｃｈ）や、パケット交換サービス用デタッチ信号（ＧＰＲＳ  ｄｅｔａｃｈ）等が含まれる。
【００２９】
また、本実施形態に係る移動局ＵＥは、パケット交換サービス用交換局ＳＧＳＮ宛ての第１のサービス関連信号又は回線交換サービス用交換局ＭＳＣ/ＶＬＲ宛ての第２のサービス関連信号のいずれかを無線制御装置ＲＮＣに送信することによって、ショートメッセージサービスや位置検索サービス等の所定のサービスを利用するように構成されている。
【００３０】
ここで、第１のサービス関連信号には、パケット交換サービス用ショートメッセージ関連信号（ＰＳ-ＳＭＳ）やパケット交換サービス用位置検索関連信号等が含まれる。また、第２のサービス関連信号には、回線交換サービス用ショートメッセージ関連信号（ＣＳ-ＳＭＳ）や回線交換サービス用位置検索関連信号等が含まれる。
【００３１】
図１に示すように、移動局ＵＥは、送受信部１１と、ネットワークオペレーションモード管理部１２と、通信制御部１３と、判断部１４とを具備している。
【００３２】
送受信部１１は、基地局ＢＳとの間で無線チャネルを設定するものであり、かかる無線チャネルを介して、無線制御装置ＲＮＣに対して位置登録関連信号等の信号を送信し、無線制御装置ＲＮＣからアクセス制限信号等の信号を受信するものである。
【００３３】
ネットワークオペレーションモード管理部１２は、移動局ＵＥが、第１のネットワークオペレーションモード又は第２のネットワークオペレーションモードのいずれで動作しているかについて管理するものである。ネットワークオペレーションモード管理部１２は、無線制御装置ＲＮＣからの報知信号によって通知されるネットワークオペレーションモード情報に基づいて、動作するネットワークオペレーションモードを切り替える。
【００３４】
通信制御部１３は、パケット交換サービス及び回線交換サービスにおける通信において必要な制御を行うものである。例えば、通信制御部１３は、電源がＯＮとなった場合や、電源がＯＦＦとなった場合や、位置登録エリアが変更になった場合等に、パケット交換サービス用交換局ＳＧＳＮ及び回線交換サービス用交換局ＭＳＣ/ＶＬＲに対する位置登録処理を行うことを決定する。
【００３５】
判断部１４は、通信制御部１３からの指示に応じて、無線制御装置ＲＮＣに対して送信する位置登録関連信号を生成するものである。生成される位置登録関連信号の種類は、移動局ＵＥの現在のネットワークオペレーションモードや、無線制御装置ＲＮＣからのアクセス制限信号やアクセス制限解除信号の有無や、通信制御部１３によって決定された位置登録処理を行う交換局によって異なる。
【００３６】
例えば、移動局ＵＥが第２のネットワークオペレーションモードで動作している場合で、かつ、通信制御部１３によって決定された位置登録処理を行う交換局が回線交換サービス用交換局ＭＳＣ/ＶＬＲである場合、判断部１４は、回線交換サービス用交換局ＭＳＣ/ＶＬＲ宛ての第２の位置登録関連信号を生成する。ただし、無線制御装置ＲＮＣから回線交換サービス用交換局ＭＳＣ/ＶＬＲに対するアクセス制限信号を受信した場合（その後、回線交換サービス用交換局ＭＳＣ/ＶＬＲに対するアクセス制限解除信号を受信していない場合）、判断部１４は、第２の位置登録関連信号を送信しないように決定する。
【００３７】
また、移動局ＵＥが第２のネットワークオペレーションモードで動作している場合で、かつ、通信制御部１３によって決定された位置登録処理を行う交換局がパケット交換サービス用交換局ＳＧＳＮである場合、判断部１４は、パケット交換サービス用交換局ＳＧＳＮ宛ての第３の位置登録関連信号を生成する。ただし、無線制御装置ＲＮＣからパケット交換サービス用交換局ＳＧＳＮに対するアクセス制限信号を受信した場合（その後、パケット交換サービス用交換局ＳＧＳＮに対するアクセス制限解除信号を受信していない場合）、判断部１４は、第３の位置登録関連信号を送信しないように決定する。
【００３８】
一方、移動局ＵＥが、第１のネットワークオペレーションモードで動作している場合、判断部１４は、図２に示すテーブルを参照して、生成する位置登録関連信号の種類を決定する。図２に示すテーブルは、アクセス制限されているドメインと、送信可能な信号とを関連付けて記憶するものである。
【００３９】
すなわち、図２に示すように、通信制御部１３によって決定された位置登録処理を行う交換局が回線交換サービス用交換局ＭＳＣ/ＶＬＲである場合で、かつ、無線制御装置ＲＮＣからパケット交換サービス用交換局ＳＧＳＮに対するアクセス制限信号を受信した場合（その後、パケット交換サービス用交換局ＳＧＳＮに対するアクセス制限解除信号を受信していない場合）には、判断部１４は、回線交換サービス用交換局ＭＳＣ/ＶＬＲ宛ての第２の位置登録関連信号を生成して、無線制御装置ＲＮＣに送信することによって、パケット交換サービス用交換局ＳＧＳＮを介することなく、回線交換サービス用交換局ＭＳＣ/ＶＬＲに対する位置登録処理を行うように構成されている。
【００４０】
その後、パケット交換サービス用交換局ＳＧＳＮに対するアクセス制限解除信号を受信した場合には、判断部１４は、パケット交換サービス用交換局ＳＧＳＮ宛ての第１の位置登録関連信号を、無線制御装置ＲＮＣに送信するように変更する。
【００４１】
また、通信制御部１３によって決定された位置登録処理を行う交換局がパケット交換サービス用交換局ＳＧＳＮである場合で、かつ、無線制御装置ＲＮＣから回線交換サービス用交換局ＭＳＣ/ＶＬＲに対するアクセス制限信号を受信した場合（その後、回線交換サービス用交換局ＭＳＣ/ＶＬＲに対するアクセス制限解除信号を受信していない場合）には、判断部１４は、パケット交換サービス用交換局ＳＧＳＮ宛ての第３の位置登録関連信号を生成して、無線制御装置ＲＮＣに送信することによって、パケット交換サービス用交換局ＳＧＳＮに対する位置登録処理を行うように構成されている。
【００４２】
その後、パケット交換サービス用交換局ＳＧＳＮに対するアクセス制限解除信号を受信した場合には、判断部１４は、パケット交換サービス用交換局ＳＧＳＮ宛ての第１の位置登録関連信号を、無線制御装置ＲＮＣに送信するように変更する。
【００４３】
また、無線制御装置ＲＮＣからアクセス制限信号を受信していない場合（又は、アクセス制限解除信号を受信した場合）には、判断部１４は、通信制御部１３によって決定された位置登録処理を行う交換局がパケット交換サービス用交換局ＳＧＳＮ又は回線交換サービス用交換局ＭＳＣ/ＶＬＲのいずれの場合でも、パケット交換サービス用交換局ＳＧＳＮ宛ての第１の位置登録関連信号を生成して、無線制御装置ＲＮＣに送信するように構成されている。
【００４４】
また、無線制御装置ＲＮＣから両交換局に対するアクセス制限信号を受信した場合（その後、アクセス制限解除信号を受信していない場合）には、送信可能な信号が存在しないため、判断部１４は、無線制御装置ＲＮＣに対して位置登録関連信号を送信しないように決定する。
【００４５】
また、判断部１４は、ショートメッセージサービスや位置検索サービス等の所定のサービスを利用する際に、第１の交換局宛ての第１のサービス関連信号又は第２の交換局宛ての第２のサービス関連信号のいずれかを無線制御装置に送信するように構成されている。
【００４６】
また、判断部１４は、無線制御装置ＲＮＣからアクセス制限信号を受信した場合は、所定のサービスを利用する際に、当該アクセス制限信号によって通知された交換局（例えば、パケット交換サービス用交換局ＳＧＳＮ）と異なる交換局（例えば、回線交換サービス用交換局ＭＳＣ/ＶＬＲ）宛てのサービス関連信号（例えば、第２のサービス関連信号）を、無線制御装置ＲＮＣに送信するように構成されている。
【００４７】
図３に示すように、無線制御装置ＲＮＣは、ＳＧＳＮインターフェイス２１と、ＭＳＣ/ＶＬＲインターフェイス２２と、ＵＥインターフェイス２３と、ＳＧＳＮ状態監視部２４と、ネットワークオペレーションモード管理部２５と、信号処理部２６とを具備している。
【００４８】
ＳＧＳＮインターフェイス２１は、パケット交換サービス用交換局ＳＧＳＮとの間の通信インターフェイスであり、ＭＳＣ/ＶＬＲインターフェイス２２は、回線交換サービス用交換局ＭＳＣ/ＶＬＲとの間の通信インターフェイスであり、ＵＥインターフェイス２３は、移動局ＵＥとの間の通信インターフェイスである。
【００４９】
ＳＧＳＮ状態監視部２４は、パケット交換サービス用交換局ＳＧＳＮの状態を監視するものである。例えば、ＳＧＳＮ状態監視部２４は、パケット交換サービス用交換局ＳＧＳＮから送信された状態信号に応じて、パケット交換サービス用交換局ＳＧＳＮにおいて故障が発生したこと、又は、パケット交換サービス用交換局ＳＧＳＮの負荷が所定の閾値を超えたことを検知するように構成されている。
【００５０】
また、ＳＧＳＮ状態監視部２４は、パケット交換サービス用交換局ＳＧＳＮから送信された状態信号に応じて、パケット交換サービス用交換局ＳＧＳＮにおいて故障が回復したこと、又は、パケット交換サービス用交換局ＳＧＳＮの負荷が所定の閾値以下となったことを検知するように構成されている。
【００５１】
ネットワークオペレーションモード管理部２５は、無線制御装置ＲＮＣ配下の移動局ＵＥの現在のネットワークオペレーションモードを管理するものである。
【００５２】
信号処理部２６は、各インターフェイス２１乃至２３を介して送受信する信号についての所定の処理を行うものである。
【００５３】
例えば、信号処理部２６は、パケット交換サービス用交換局ＳＧＳＮにおいて故障が発生したこと、又は、パケット交換サービス用交換局ＳＧＳＮの負荷が所定の閾値を超えたことを検知した場合、ＵＥインターフェイス２３を介して、無線制御装置ＲＮＣ配下の移動局ＵＥに対して、パケット交換サービス用交換局ＳＧＳＮに対するアクセス制限信号を送信する。
【００５４】
また、信号処理部２６は、パケット交換サービス用交換局ＳＧＳＮにおいて故障が回復したこと、又は、パケット交換サービス用交換局ＳＧＳＮの負荷が所定の閾値以下となったことを検知した場合、ＵＥインターフェイス２３を介して、無線制御装置ＲＮＣ配下の移動局ＵＥに対して、パケット交換サービス用交換局ＳＧＳＮに対するアクセス制限解除信号を送信する。
【００５５】
また、信号処理部２６は、回線交換サービス用交換局ＭＳＣ/ＶＬＲにおいて故障が発生したこと、又は、回線交換サービス用交換局ＭＳＣ/ＶＬＲの負荷が所定の閾値を超えたことを検知した場合、ＵＥインターフェイス２３を介して、無線制御装置ＲＮＣ配下の移動局ＵＥに対して、回線交換サービス用交換局ＭＳＣ/ＶＬＲに対するアクセス制限信号を送信するように構成されていてもよい。
【００５６】
また、信号処理部２６は、回線交換サービス用交換局ＭＳＣ/ＶＬＲにおいて故障が回復したこと、又は、回線交換サービス用交換局ＭＳＣ/ＶＬＲの負荷が所定の閾値以下となったことを検知した場合、ＵＥインターフェイス２３を介して、無線制御装置ＲＮＣ配下の移動局ＵＥに対して、回線交換サービス用交換局ＭＳＣ/ＶＬＲに対するアクセス制限解除信号を送信するように構成されていてもよい。
【００５７】
また、信号処理部２６は、ＵＥインターフェイス２３を介して無線制御装置ＲＮＣ配下の移動局ＵＥから受信した位置登録関連信号を、ＳＧＳＮインターフェイス２１又はＭＳＣ/ＶＬＲインターフェイス２２に転送する。
【００５８】
また、信号処理部２６は、所定の基準によって、無線制御装置ＲＮＣ配下の移動局ＵＥのネットワークオペレーションモードを決定し、決定されたネットワークオペレーションモード情報を含む報知信号を、ＵＥインターフェイス２３を介して移動局ＵＥに対して送信する。
【００５９】
また、信号処理部２６は、パケット交換サービス用交換局ＳＧＳＮにおいて故障が発生したこと、又は、パケット交換サービス用交換局ＳＧＳＮの負荷が所定の閾値を超えたことを検知した場合、無線制御装置ＲＮＣ配下の移動局ＵＥのネットワークオペレーションモードを、第２のネットワークオペレーションモードに変更するように決定してもよい。
【００６０】
また、信号処理部２６は、パケット交換サービス用交換局ＳＧＳＮにおいて故障が回復したこと、又は、パケット交換サービス用交換局ＳＧＳＮの負荷が所定の閾値以下となったことを検知した場合、無線制御装置ＲＮＣ配下の移動局ＵＥのネットワークオペレーションモードを、第１のネットワークオペレーションモードに変更するように決定してもよい。
【００６１】
（本実施形態に係る移動通信システムの動作）
図４及び図５を参照して、本実施形態に係る移動通信システムの動作について説明する。
【００６２】
ステップＳ１００において、無線制御装置ＲＮＣが、無線制御装置ＲＮＣ配下の移動局ＵＥに対して、第１のネットワークオペレーションモードを示すネットワークオペレーションモード情報を含む報知信号を送信する。
【００６３】
ステップＳ１０１において、移動局ＵＥは、第１のネットワークオペレーションモードで動作し、第１の位置登録関連信号を無線制御装置ＲＮＣに対して送信する。無線制御装置ＲＮＣは、受信した第１の位置登録関連信号をパケット交換サービス用交換局ＳＧＳＮに転送する。
【００６４】
そして、パケット交換サービス用交換局ＳＧＳＮは、受信した第１の位置登録関連信号に応じて、移動局ＵＥのパケット交換サービスに対する位置登録処理を行うと共に、受信した第１の位置登録関連信号を回線交換サービス用交換局ＭＳＣ/ＶＬＲに転送する。回線交換サービス用交換局ＭＳＣ/ＶＬＲは、受信した第１の位置登録関連信号に応じて、移動局ＵＥの回線交換サービスに対する位置登録処理を行う。
【００６５】
ステップＳ１０２において、パケット交換サービス用交換局ＳＧＳＮにおいて、輻輳又は障害が発生する。ステップＳ１０３において、パケット交換サービス用交換局ＳＧＳＮは、輻輳又は障害が発生した旨を通知するための状態信号を無線制御装置ＲＮＣに送信する。
【００６６】
ステップＳ１０４において、無線制御装置ＲＮＣは、パケット交換サービス用交換局ＳＧＳＮからの状態信号に応じて、パケット交換サービス用交換局ＳＧＳＮにおいて輻輳又は障害が発生した旨を検知し、移動局ＵＥに対して、パケット交換サービス用交換局ＳＧＳＮに対するアクセス制限信号を送信する。
【００６７】
ステップＳ１０５において、移動局ＵＥは、回線交換サービス用交換局ＭＳＣ/ＶＬＲに対して位置登録処理を行うために、第２の位置登録関連信号を無線制御装置ＲＮＣに対して送信する。
【００６８】
なお、本実施形態では、パケット交換サービス用交換局ＳＧＳＮを第１の交換局とし、回線交換サービス用交換局ＭＳＣ/ＶＬＲを第２の交換局として説明したが、本発明は、これに限定されるものではなく、回線交換サービス用交換局ＭＳＣ/ＶＬＲを第１の交換局とし、パケット交換サービス用交換局ＳＧＳＮを第２の交換局とした場合にも同様に適用することができる。
【００６９】
（本実施形態に係る移動通信システムの作用・効果）
本実施形態に係る移動通信システムによれば、パケット交換サービス用交換局ＳＧＳＮにおいて輻輳や障害が発生した場合に、第１のネットワークオペレーションモードで動作している移動局ＵＥが、本来アクセス可能である回線交換サービス用交換局ＭＳＣ/ＶＬＲに対して位置登録処理及びサービス関連処理を行うことができる。
【図面の簡単な説明】
【００７０】
【図１】本発明の一実施形態に係る移動局の機能ブロック図である。
【図２】本発明の一実施形態に係る移動局の判断部によって管理されているテーブルの一例を示す図である。
【図３】本発明の一実施形態に係る無線制御装置の機能ブロック図である。
【図４】本発明の一実施形態に係る移動通信システムの動作を示すシーケンス図である。
【図５】本発明の一実施形態に係る移動通信システムの動作を説明するための図である。
【図６】従来技術に係る移動通信システムの全体構成及び動作を説明するための図である。
【符号の説明】
【００７１】
ＵＥ…移動局
ＲＮＣ…無線制御装置
ＢＳ…基地局
ＳＧＳＮ…パケット交換サービス用交換局
ＭＳＣ/ＶＬＲ…回線交換サービス用交換局
１１…送受信部
１２…ネットワークオペレーションモード管理部
１３…通信制御部
１４…判断部
２１…ＳＧＳＮインターフェイス
２２…ＭＳＣ/ＶＬＲインターフェイス
２３…ＵＥインターフェイス
２４…ＳＧＳＮ状態監視部
２５…ネットワークオペレーションモード管理部
２６…信号処理部
【図１】
0004729613.tif 000002
【図２】
0004729613.tif 000003
【図３】
0004729613.tif 000004
【図４】
0004729613.tif 000005
【図５】
0004729613.tif 000006
【図６】
0004729613.tif 000007